(57)【特許請求の範囲】
【請求項１】
記録液の液滴を吐出して被記録媒体に画像を形成する画像形成手段と前記被記録媒体を間歇的に搬送する搬送手段とをユニット化したエンジンユニットを、装置本体内に対して着脱自在に装着可能な画像形成装置において、
前記エンジンユニットの前記画像形成手段は被記録媒体搬送方向と直交する方向に移動可能に保持されて移動走査されるキャリッジに搭載され、
前記エンジンユニットは、被記録媒体搬送方向と直交する方向から装置本体内に対して装着可能であり、
前記エンジンユニットは、下部並びに前記下部より上方の被記録媒体搬送方向上流側及び下流側の部分に設けられた支持される部分が、前記エンジンユニットを前記装置本体の筺体の保持部にて、回転可能に、且つ、被記録媒体搬送方向と直交する方向に移動可能に、三点で支持され、
前記エンジンユニットは前記下部の支持される部分を回動中心として回動可能であり、
前記エンジンユニットの上部であって被記録媒体搬送方向上流側と前記装置本体の筐体との間には、前記エンジンユニットを被記録媒体搬送方向上流側から下流側に向けて押圧する振動抑制部材が設けられ、
前記振動抑制部材は、前記搬送手段の前記被記録媒体の間歇搬送で生じる前記エンジンユニットの被記録媒体搬送方向の振動を抑制する
ことを特徴とする画像形成装置。
【発明の詳細な説明】
【技術分野】
【０００１】
本発明は画像形成装置に関し、特にエンジンユニットを装置本体内に対して着脱自在に装着可能な画像形成装置に関する。
【背景技術】
【０００２】
プリンタ、ファクシミリ、複写装置、これらの複合機等の画像形成装置として、例えば記録液の液滴を吐出する記録ヘッドを用いた液体吐出記録方式の画像形成装置としてのインクジェット記録装置が知られている。このインクジェット記録装置は、記録ヘッドから記録液、例えばインク滴を、搬送される用紙（紙に限定するものではなく、ＯＨＰなどを含み、インク滴、その他の液体などが付着可能なものの意味であり、被記録媒体あるいは記録媒体、記録紙、記録用紙などとも称される。）に対して吐出して、画像形成（記録、印字、印写、印刷も同義語で使用する。）を行なうものであり、記録ヘッドが主走査方向に移動するシリアル型と、ライン型記録ヘッドを用いるライン型のものがある。
【０００３】
このようなインクジェット記録装置において、パーソナルユースからオフィスユースに対応するためにはできる限りユーザーの下でメンテナンスを行なえるようにすることが好ましい。そのため、例えば、シリアル型にあっては、記録液の液滴を吐出して被記録媒体に画像を形成する記録ヘッド、記録ヘッドを搭載したキャリッジ、キャリッジの走査機構、用紙を搬送する搬送機構などをユニット化してエンジンユニットとし、このエンジンユニットを装置本体内に対して着脱自在に装着できるように構成する。
【０００４】
なお、本件に関する先行文献としては、特許文献１に記載されているように、原稿を露光走査する光学走査手段と、光学走査手段を支持案内する案内手段と、光学走査手段の主走査方向に位置する一方の側部における副走査方向の両端と上記光学走査手段の主走査方向に位置する他方の側部における、上記両端を分割する中心に対応する位置とに設けられ上記案内手段に接する複数の足部と、上記複数の足部の垂直線上に位置するようにそれぞれ上記光学走査手段に設けられ上記コンタクトガラスを圧接加圧しながら移動する複数の回転部材と、上記光学走査手段の力の釣合い点が上記中心に位置する足部に位置すると共に、上記両端に位置する足部に上記光学走査手段の重量が均等に掛かり、かつ、上記力の釣合い点におけるモーメントが釣り合う加圧力を上記回転部材に加える加圧手段とを具備する画像読取装置における振動防止機構が知られている。
【特許文献１】特許第３４０４０６０号公報
【発明の開示】
【発明が解決しようとする課題】
【０００５】
上述したように画像形成手段と用紙搬送手段とを含むエンジンユニットを装置本体に対して着脱自在に装着可能とした場合、次のような課題が生じる。
特に、記録ヘッドに対して被記録媒体を高い平面性で搬送するために、搬送ベルトに用紙を静電吸着して搬送するものベルト搬送装置を用いた場合、エンジンユニットを装置本体内に装着したときに、エンジンユニット自体のフレームに曲がり、歪みが生じると、搬送ベルトに曲がりや歪みが生じることになって、記録ヘッドに対して用紙を高い平面性で搬送することができなくなるおそれがある。また、シリアル型の場合には記録ヘッドを搭載したキャリッジを案内する案内部材に歪みなどが生じて、主走査をスムーズに行なえなくなったり、記録ヘッドと用紙との間の距離が変動するおそれがある。
【０００６】
このように、エンジン部分をユニット化することでメンテナンス性は向上するものの、それに伴って、インクジェット記録で要求される記録ヘッドと用紙との間のギャップ、用紙の平面性が維持できなくなって、滴着弾位置のバラツキを生じて画像品質が低下するおそれが生じるという課題がある。
【０００７】
また、用紙搬送手段によって用紙を搬送することによる振動、特に用紙を間歇送りする場合の振動、記録ヘッドを搭載したキャリッジが往復動することによる振動が発生して、エンジンユニット全体が振動する。この場合、エンジンユニットを装置本体に完全に固定することによって振動を抑えることができるものの、上述したエンジンユニット自体の曲がり、歪みが発生し易くなる。
【０００８】
本発明は上記の課題に鑑みてなされたものであり、画像品質の低下を防止しつつメンテナンス性を向上した画像形成装置を提供することを目的とし、また、請求項２以下の発明では、画像品質の低下を防止しつつメンテナンス性を向上し、かつ振動を抑制した画像形成装置を提供することを目的とする。
【課題を解決するための手段】
【０００９】
上記の課題を解決するため、本発明に係る画像形成装置は、
記録液の液滴を吐出して被記録媒体に画像を形成する画像形成手段と前記被記録媒体を間歇的に搬送する搬送手段とをユニット化したエンジンユニットを、装置本体内に対して着脱自在に装着可能な画像形成装置において、
前記エンジンユニットの前記画像形成手段は被記録媒体搬送方向と直交する方向に移動可能に保持されて移動走査されるキャリッジに搭載され、
前記エンジンユニットは、被記録媒体搬送方向と直交する方向から装置本体内に対して装着可能であり、
前記エンジンユニットは、下部並びに前記下部より上方の被記録媒体搬送方向上流側及び下流側の部分に設けられた支持される部分が、前記エンジンユニットを前記装置本体の筺体の保持部にて、回転可能に、且つ、被記録媒体搬送方向と直交する方向に移動可能に、三点で支持され、
前記エンジンユニットは前記下部の支持される部分を回動中心として回動可能であり、
前記エンジンユニットの上部であって被記録媒体搬送方向上流側と前記装置本体の筐体との間には、前記エンジンユニットを被記録媒体搬送方向上流側から下流側に向けて押圧する振動抑制部材が設けられ、
前記振動抑制部材は、前記搬送手段の前記被記録媒体の間歇搬送で生じる前記エンジンユニットの被記録媒体搬送方向の振動を抑制する
構成とした。
【発明の効果】
【００１４】
本発明に係る画像形成装置によれば、エンジンユニットの画像形成手段は被記録媒体搬送方向と直交する方向に移動可能に保持されて移動走査されるキャリッジに搭載され、エンジンユニットは、被記録媒体搬送方向と直交する方向から装置本体内に対して装着可能であり、エンジンユニットは、下部並びに下部より上方の被記録媒体搬送方向上流側及び下流側の部分に設けられた支持される部分が、エンジンユニットを装置本体の筺体の保持部にて、回転可能に、且つ、被記録媒体搬送方向と直交する方向に移動可能に、三点で支持され、エンジンユニットは下部の支持される部分を回動中心として回動可能であり、エンジンユニットの上部であって被記録媒体搬送方向上流側と装置本体の筐体との間には、エンジンユニットを被記録媒体搬送方向上流側から下流側に向けて押圧する振動抑制部材が設けられ、振動抑制部材は、搬送手段の被記録媒体の間歇搬送で生じるエンジンユニットの被記録媒体搬送方向の振動を抑制する構成としたので、エンジンユニットを装置本体に装着した状態で四点が固定されないために、エンジンユニット自体のフレームに曲がり、歪みが生じにくくなり、記録ヘッドと用紙との間のギャップ、用紙の平面性を維持して画像品質の低下を防止しつつメンテナンス性を向上することができる。
【発明を実施するための最良の形態】
【００１５】
以下、本発明の実施の形態について添付図面を参照して説明する。本発明に係る画像形成装置の一例について図１及び図２を参照して説明する。なお、図１は同画像形成装置の全体構成を示す概略構成図、図２は同装置の画像形成部及び副走査搬送部の平面説明図である。
【００１６】
この画像形成装置は、装置本体１の内部（筺体内）に、画像を形成するための画像形成部（手段）２、副走査搬送部（手段）３等を有し、装置本体１の底部に設けた収容手段である給紙部（手段）４から被搬送部材である被記録媒体（以下「用紙」というが、材質を紙に限定するものではない。）５を１枚ずつ分離して給紙し、副走査搬送部３によって用紙５を画像形成部２に対向する位置で間歇的に搬送しながら、画像形成部２によって用紙５に液滴を吐出して所要の画像を形成（記録）した後、排紙搬送部６を通じて装置本体１の上面に形成した排紙トレイ７上に用紙５を排紙する。
【００１７】
また、この画像形成装置は、画像形成部２で形成する画像データ（印刷データ）の入力系として、装置本体１の上部で排紙トレイ７の上方には画像を読み取るための画像読取部（スキャナ部）１１を備えている。この画像読取部１１は、照明光源１３とミラー１４とを含む走査光学系１５と、ミラー１６、１７を含む走査光学系１８とが移動して、コンタクトガラス１２上に載置された原稿の画像の読み取りを行い、走査された原稿画像がレンズ１９の後方に配置した画像読み取り素子２０で画像信号として読み込まれ、読み込まれた画像信号はデジタル化され画像処理され、画像処理した印刷データを印刷することができる。なお、コンタクトガラス１２上には原稿を押えるための圧板１０を備えている。
【００１８】
ここで、この画像形成装置の画像形成部２は、図２にも示すように、キャリッジガイド２１及び図示しないガイドステーでキャリッジ２３を主走査方向に移動可能に保持し、主走査モータ２７で駆動プーリ２８Ａと従動プーリ２８Ｂ間に架け渡したタイミングベルト２９を介して主走査方向に移動走査する。
【００１９】
そして、このキャリッジ２３上に、それぞれの色の液滴を吐出する液滴吐出ヘッドからなる記録ヘッド２４を搭載し、キャリッジ２３を主走査方向に移動させ、副走査搬送部３によって用紙５を用紙搬送方向（副走査方向）に送りながら記録ヘッド２４から液滴を吐出させて画像形成を行うシャトル型としている。
【００２０】
記録ヘッド２４は、それぞれブラック（Ｂｋ）インクを吐出する２個の液滴吐出ヘッド２４ｋ１、２４ｋ２と、シアン（Ｃ）インク、マゼンタ（Ｍ）インク、イエロー（Ｙ）インクを吐出するそれぞれ１個の液滴吐出ヘッド２４ｃ、２４ｍ、２４ｙの計５個の液滴吐出ヘッド（以下単に「ヘッド」という。）で構成されている。また、キャリッジ２３には各記録ヘッド２４に所要の色の記録液を供給するためにサブタンク２５を搭載している。
【００２１】
一方、図１に示すように、装置本体１の前面からカートリッジ装着部２６Ａに、ブラック（Ｋ）インク、シアン（Ｃ）インク、マゼンタ（Ｍ）インク、イエロー（Ｙ）インクをそれぞれ収容した記録液カートリッジである各色のインクカートリッジ２６を着脱自在に装着でき、各色のインクカートリッジ２６から各色のサブタンク２５に図示しないチューブを介してインク（記録液）を補充供給する。なお、ブラックインクは１つのインクカートリッジ２６から２つのサブタンク２５に供給する構成としている。
【００２２】
なお、記録ヘッド２４としては、インク流路内（圧力発生室）のインクを加圧する圧力発生手段（アクチュエータ手段）として圧電素子を用いてインク流路の壁面を形成する振動板を変形させてインク流路内容積を変化させてインク滴を吐出させるいわゆるピエゾ型のもの、或いは、発熱抵抗体を用いてインク流路内でインクを加熱して気泡を発生させることによる圧力でインク滴を吐出させるいわゆるサーマル型のもの、インク流路の壁面を形成する振動板と電極とを対向配置し、振動板と電極との間に発生させる静電力によって振動板を変形させることで、インク流路内容積を変化させてインク滴を吐出させる静電型のものなどを用いることができる。
【００２３】
また、キャリッジ２３の走査方向一方側の非印字領域には、記録ヘッド２４のノズルの状態を維持し、回復するためのヘッドクリーニング装置を含む維持回復装置１２１を配置している。この維持回復装置１２１は、５個の記録ヘッド２４の各ヘッドのノズル面をキャピングするための５個のキャップ１２２ａ〜１２２ｅと、記録ヘッド２４のノズル面をワイピングするためのワイパーブレード１２４と、空吐出を行うための空吐出受け１２５などを備えている。なお、キャップ１２２ａには図示しない吸引ポンプをチューブを介して接続することで吸引用及び保湿用キャップとし、キャップ１２２ｂ〜１２２ｅは保湿用キャップとしている。
【００２４】
さらに、キャリッジ２３の走査方向の他方側の非印字領域には、空吐出を行うための空吐出受け１２６を配置している。この空吐出受け１２６には開口１２７ａ〜１２７ｅを形成している。
【００２５】
副走査搬送部３は、下方から給紙された用紙５を略９０度搬送方向を転換させて画像形成部２に対向させて搬送するための、駆動ローラである搬送ローラ３２とテンションローラである従動ローラ３３間に架け渡した無端状の搬送ベルト３１と、この搬送ベルト３１の表面を帯電させるために交番電圧であるＡＣバイアス電圧が印加される帯電手段である帯電ローラ３４と、搬送ベルト３１を画像形成部２の対向する領域でガイドするガイド部材３５と、用紙５を搬送ローラ３２に対向する位置で搬送ベルト３１に押し付ける押さえコロ（加圧コロ）３６と、画像形成部２によって画像が形成された用紙５を搬送ベルト３１から分離するための分離爪３７と、分離された用紙５を排紙搬送部６に送り出すための搬送ローラ３８を備えている。
【００２６】
この副走査搬送部３の搬送ベルト３１は、副走査モータ１３１からタイミングベルト１３２及びタイミングローラ１３３を介して搬送ローラ３２が回転されることで、図２の用紙搬送方向（副走査方向）に周回するように構成している。
【００２７】
給紙部４は、装置本体１に抜き差し可能で、多数枚の用紙５を積載して収納する収容手段である給紙カセット４１と、給紙カセット４１内の用紙５を１枚ずつ分離して送り出すための給紙コロ４２及びフリクションパッド４３と、給紙される用紙５を副走査搬送部３に対して搬送するレジストローラ対４４とを有している。給紙コロ４２は図示しない給紙クラッチを介してＨＢ型ステッピングモータからなる給紙モータ（駆動源）４５によって回転され、またレジストローラ対４４も給紙モータ４５によって回転駆動される。
【００２８】
排紙搬送部６は、画像形成が行われた用紙５を搬送する排紙搬送ローラ対６１、６２と、用紙５を排紙トレイ７へ送り出すための排紙搬送ローラ対６３及び排紙ローラ６４とを備えている。
【００２９】
このように構成したこの画像形成装置においては、搬送ベルト３１を駆動する搬送ローラ３２の回転量を検出して、この検出した回転量に応じて副走査モータ１３１を駆動制御するとともに、図示しないＡＣバイアス供給部から帯電ローラ３４に交番電圧である正負極の矩形波の高電圧を印加し、これによって、搬送ベルト３１には正と負の電荷が搬送ベルト３１の搬送方向に対して交互に帯状に印加され、搬送ベルト３１上に所定の帯電幅で帯電が行われて不平等電界が生成される。
【００３０】
そこで、用紙５が給紙部４から給紙されて、搬送ローラ３２と押えコロ３６との間に送り込まれて、正負極の電荷が形成されることによって不平等電界が発生している搬送ベルト３１上へと送り込まれると、用紙５は電界の向きにならって瞬時に分極し、静電吸着力で搬送ベルト３１上に吸着され、搬送ベルト３１の移動に伴って搬送される。
【００３１】
そして、この搬送ベルト３１で用紙５を間歇的に搬送しながら、用紙５上に記録ヘッド２４から記録液の液滴を吐出して画像を記録（印刷）し、印刷が行われる用紙５の先端側を分離爪３７で搬送ベルト３１から分離して搬送ローラ３８で排紙搬送部６に送り出す。
【００３２】
また、印字（記録）待機中にはキャリッジ２３は維持回復機構１２１側に移動されて、キャップ１２２で記録ヘッド３４のノズル面がキャッピングされて、ノズルを湿潤状態に保つことによりインク乾燥による吐出不良を防止する。また、吸引及び保湿用キャップ１２２ａで記録ヘッド３４をキャッピングした状態でノズルから記録液を吸引し（「ノズル吸引」又は「ヘッド吸引」という。）し、増粘した記録液や気泡を排出する回復動作を行い、この回復動作によって記録ヘッド３４のノズル面に付着したインクを清掃除去するためにワイパーブレード１２４でワイピングを行なう。また、記録開始前、記録途中などに記録と関係しないインクを空吐出受け１２５に向けて吐出する空吐出動作を行う。これによって、記録ヘッド３４の安定した吐出性能を維持する。
【００３３】
次に、この画像形成装置におけるエンジンユニットの支持構造及び制振構造について図３ないし図９をも参照して説明する。なお、図３は同画像形成装置のエンジンユニットの装着部分の模式的説明図、図４はエンジンユニットを固定した場合の説明に供する模式的斜視図、図５は同画像形成装置のエンジンユニットを装置本体に装着した状態の斜視説明図、図６はエンジンユニットを装置本体から抜き出した状態の斜視説明図、図７はエンジンユニットを装置本体裏側の方向から見た斜視説明図、図８は同じくエンジンユニットを装置本体裏側の方向から見た向きを代えて見た斜視説明図、図９は同じくエンジンユニットを装置本体裏側の方向から見た側面説明図である。
【００３４】
この画像形成装置においては、図３、図５ないし図９に示すように、記録ヘッド２４を搭載したキャリッジ２３及びその主走査移動機構、維持回復機構１２１などを含む画像形成手段である画像形成部２と、搬送ベルト３１及びその駆動機構などを含む搬送手段である副走査搬送部３１とをユニット化してエンジンユニット１００として構成し、図３及び図５、図６に示すように、このエンジンユニット１００を装置本体１に対し、装置本体1の前面側から着脱可能に装着している。なお、エンジンユニット１００の装置本体１側前面にはタイミングベルト１３２を覆うベルトカバー１０８が取付けられている。また、装置本体１の全面側上部には操作部９が配置されている。
【００３５】
このエンジンユニット１００は、画像形成部２及び副走査搬送部３などをフレーム１０１によって保持している。そして、フレーム１０１の下部及び用紙搬送方向上流側及び下流側の部分に、それぞれエンジンユニット１００を装置本体１内に対して支持するための支持ピン１０２ａ〜１０２ｃを設けている。これらの支持ピン１０２ａ〜１０２ｃは図７ないし図９に示すように、フレーム１０１を構成しているフレーム板１０１ａ〜１０１ｃに加締などによって固定している。また、支持ピン１０２ａによる支持点を第１支持点、支持ピン１０２ｂによる支持点を第２支持点、支持ピン１０２ｃによる支持点を第３支持点とする。
【００３６】
一方、装置本体１の筺体１１１側には、図３に示すように、エンジンユニット１００を筺体１０１内に挿入したときに支持ピン１０２ａ〜１０２ｃが嵌まり込む嵌合穴１１３を形成した保持部１１２ａ〜１１２ｃを設けている。なお、図３は説明上フレーム１０１を透過状態で示しているが、支持ピン１０２ａ〜１０２ｃの向きは前述した図７ないし図９に示すようにエンジンユニット１００を挿入する方向（装置本体奥側方向）に向いている。
【００３７】
したがって、エンジンユニット１００を図５に示すように装置本体１内（筺体１１１内）に装着したときに、図３に示すように、支持ピン１０２ａ〜１０２ｃが保持部１１２ａ〜１１２ｃに嵌まり込んで支持されるので、エンジンユニット１００は装置本体１内（筺体１１１内）で三点支持された状態になる。この場合、エンジンユニット１００の支持ピン１０２ａ〜１０２ｃは装置本体１の筺体１１１の保持部１１２ａ〜１１２ｃに対して回動可能で、主走査方向にも移動可能な状態で保持される。
【００３８】
このようにエンジンユニット１００が三点支持されることによって、エンジンユニット１００のフレーム１０１を装置本体１の筺体１１１に固定した場合のような応力が作用せず、曲がり、歪みなどが発生しないので、画像形成部２及び副走査搬送部３の各部を正しい状態、位置で保持した状態を維持したまま装置本体１に装着することができる。
【００３９】
これにより、搬送ベルト３１が歪んだり、捩れたりして記録ヘッド２４と搬送ベルト３１で搬送される用紙との間の距離（ギャップ）が変化し、あるいは、キャリッジ２３を案内するガイドロッド２１の搬送ベルト３１の表面に対する平行度がずれることなどで、記録ヘッド２４から吐出した液滴の用紙上での着弾位置のバラツキが増大することが防止され、その他、キャリッジ２３の摺動不良等も防止されるので、ユニット化によるメンテナンス性の向上を図りつつ、画像品質の低下を防止することができる。
【００４０】
つまり、上述した三点支持に代えて、例えば図４に示すように、エンジンユニット１００のフレーム１０１に設けたフランジ部（支持部）１１０１を装置本体１の筺体１１１にネジ１１０２などの締結部材で固定することで、フレーム１００を強固に筺体１１１に固定することができ、キャリッジ２３の主走査や搬送ベルト３１の間歇駆動による用紙送りなどによってエンジンユニット１００が振動することを防止できる。
【００４１】
しかしながら、このようにフレーム１０１を装置本体１の筺体１１１に締結部材で固定すると、取り付け位置誤差などによって微妙にフレーム１０１に対して微妙に応力がかかり、例えば、同図に矢印Ａ１、Ａ２で示すように、主走査方向の両端側で異なる方向にフレーム１０１が捩れた状態で装置本体１内に固定されることがある。このようにフレーム１０１に捩れや歪みが生じると、当然に搬送ベルト３１やガイドロッド２１にも影響を与えて、上述したような要因で着弾位置ズレが生じて画像品質が低下することになり、メンテナンス性の向上と画像品質の向上との両立を図ることができなくなる。
【００４２】
これに対して、上述したようにエンジンユニット１００を装置本体１に対して三点支持する構成とした場合には上述したようなフレーム１０１に捩れや歪みなどを低減することができる。
【００４３】
この反面、キャリッジ２３の主走査や搬送ベルト３１による間歇送り動作によって、フレーム１０１が動けるために、エンジンユニット１００自体が振動することになる。そして、このエンジンユニット１００の振動は装置本体１の筺体１１１に伝達されて、騒音が発生するおそれがある。
【００４４】
そこで、ここでは、図３に示すように、エンジンユニット１００のフレーム１０１と装置本体１の筺体１１１（の一部１１１ａ）との間に、筐体１１１側に固定され、用紙搬送方向（被記録媒体搬送方向）の上流側から下流側に向けてエンジンユニット１００のフレーム１０１を押圧する振動抑制手段としての振動抑制部材（ここでは板バネ）１１４を備えている。
【００４５】
これによって、エンジンユニット１００は下部の支持ピン１０２ａを中心として回動可能であるので、振動抑制部材１１４でエンジンユニット１００全体が図３の用紙搬送方向下流側に向けて押圧され、キャリッジ２３の主走査や搬送ベルト３１による間歇送り動作によって生じるエンジンユニット１００自体の振動が抑制され、装置本体１が振動することが抑制されて、騒音の発生が低減する。
【００４６】
なお、エンジンユニット１００の三点支持は、上述したような支持ピンに限らず、例えば図１０に示すように、エンジンユニット１００のフレーム１０１の装置本体奥側の角部を第１支持点２０１、第１支持点２０１の反対側の角部を第３支持点２０３、装置本体前側の第1支持点２０１側の角部を第２支持点２０２とすることもできる。
【００４７】
あるいは、図１１及び図１２に示すように、エンジンユニット１００のフレーム１０１の装置本体奥側の角部を第１支持点２０１、装置本体前側の第1支持点２０１側の角部を第２支持点２０２とし（図１１）、用紙搬送方向の反対側の中央部分を第３支持点２０３（図１２）としたりすることもできる。
【００４８】
また、振動抑制手段の取り付け位置も上記実施形態の例に限るものではない。つまり、図１３に示すようにエンジンユニット１００の主走査方向（画像形成手段の移動方向）の少なくともいずれかの方向に、あるいは、図１４に示すようにエンジンユニット１００の副走査方向上流側及び下流側の少なくともいずれかの方向に、若しくは、図１５に示すようにエンジンユニット１００の上方向及び下方向の少なくともいずれかの方向に、又は、これらを組み合わせて、振動抑制手段を配置することができ、当該画像形成装置におけるエンジンユニット１００の振動に応じて最も振動を低減できる部位に設けることが好ましい。
【００４９】
さらに、振動制御手段としては、板バネ以外にも、コイルバネ、スポンジ部材、ゴム部材などの弾性部材や、オイルダンパのような機械的な緩衝装置を用いることもできる。
【００５０】
また、振動抑制手段は装置本体に着脱自在に取付けることによって、エンジンユニット１００の振動の経時的な変化などにも対応することができるようになる。図１６は装置本体１内の筺体１１１に取付けられるカバー部材１１１Ａに振動防止部材（板バネ）１１４を取り付けた例であり、カバー部材１１１Ａを取り外すことによって振動防止部材１１４を取り外すことができる。
【００５１】
さらに、図１８に示すように、エンジンユニット１００の用紙搬送方向上流側、下流側にエンジンユニット１００をそれぞれ反対方向に押圧可能な振動抑制手段２１４Ａ、２１４Ｂと、エンジンユニット１００の振動を検知する振動検知手段２２１と、この振動検知手段２２１の検知信号に基づいて振動を検出し、この検出した振動を抑制する方向に振動抑制手段２１４Ａ、２１４Ｂを駆動制御する振動抑制制御部２２１とを備えるような構成とすることもできる。
【図面の簡単な説明】
【００５２】
【図１】本発明に係る画像形成装置の説明に供する概略構成図である。
【図２】同じく画像形成部及び副走査搬送部の平面説明図である。
【図３】同画像形成装置のエンジンユニットの装着部分の模式的説明図である。
【図４】エンジンユニットを固定した場合の説明に供する模式的斜視図である。
【図５】同画像形成装置のエンジンユニットを装置本体に装着した状態の斜視説明図である。
【図６】同エンジンユニットを装置本体から抜き出した状態の斜視説明図である。
【図７】同エンジンユニットを装置本体裏側の方向から見た斜視説明図である。
【図８】同エンジンユニットを装置本体裏側の方向から見た向きを代えて見た斜視説明図である。
【図９】同エンジンユニットを装置本体裏側の方向から見た側面説明図である。
【図１０】同エンジンユニットの三点支持の他の例を説明する斜視説明図である。
【図１１】同エンジンユニットの三点支持の更に他の例を説明する装置本体裏側の方向から見た斜視説明図である。
【図１２】同じくエンジンユニットを装置本体裏側の方向から見た向きを代えて見た斜視説明図である。
【図１３】振動抑制手段の取り付け位置の説明に供する模式的説明図である。
【図１４】振動抑制手段の他の取り付け位置の説明に供する模式的説明図である。
【図１５】振動抑制手段の更に他の取り付け位置の説明に供する模式的説明図である。
【図１６】振動抑制手段を装置本体に着脱可能とした例の説明に供する斜視説明図である。
【図１７】同じく振動抑制手段を取り付けた部材を装置本体から取り外した状態の斜視説明図である。
【図１８】本発明に係る他の実施形態の説明に供するブロック説明図である。
【符号の説明】
【００５３】
１…装置本体
２…画像形成部
３…副走査搬送部
４…給紙部
５…用紙（被記録媒体）
６…排紙搬送部
７…排紙トレイ（排紙部）
１１…画像読取部
２３…キャリッジ
２４…記録ヘッド
２５…サブタンク
３１…搬送ベルト
３２…搬送ローラ
３４…帯電ローラ
１００…エンジンユニット
１０１…フレーム
１０２ａ〜１０２ｃ…支持ピン
１１１…装置本体の筺体
１１２ａ〜１１２ｃ…保持部
１１４…振動抑制部材（板バネ）
１２１…維持回復機構
【図１】
0004679316.tif 000002
【図２】
0004679316.tif 000003
【図３】
0004679316.tif 000004
【図４】
0004679316.tif 000005
【図５】
0004679316.tif 000006
【図６】
0004679316.tif 000007
【図７】
0004679316.tif 000008
【図８】
0004679316.tif 000009
【図９】
0004679316.tif 000010
【図１０】
0004679316.tif 000011
【図１１】
0004679316.tif 000012
【図１２】
0004679316.tif 000013
【図１３】
0004679316.tif 000014
【図１４】
0004679316.tif 000015
【図１５】
0004679316.tif 000016
【図１６】
0004679316.tif 000017
【図１７】
0004679316.tif 000018
【図１８】
0004679316.tif 000019